(57)【要約】【課題】屈曲点を有するような複雑な入出力特性を呈する増幅器に関しても逆モデルを正確に表現することが可能な歪補償装置を得る。【解決手段】ＤＰＤ処理部２は、ＨＰＡ６の入出力特性Ｋ１を表すモデルに対する逆モデルを推定する逆モデル推定部２５と、逆モデルに基づいて入力信号Ｓ１を補正する入力信号補正部２４とを備え、ＨＰＡ６には、入力信号Ｓ１の包絡線に応じた電源電圧Ｓ１２が電源回路１３から供給され、モデルは、電源電圧Ｓ１２の所定の値に対応する少なくとも一つの屈曲点ＭＡ〜ＭＣを有し、逆モデル推定部２５は、屈曲点ＭＡ〜ＭＣを境界として別個に規定される複数の部分モデルＫ１Ａ〜Ｋ１Ｄに対する複数の逆モデルを推定し、入力信号補正部２４は、複数の逆モデルに基づいて入力信号Ｓ１を補正する。【選択図】図４
2010166450.tif 000002
【特許請求の範囲】
【請求項１】
増幅器への入力信号と前記増幅器からの出力信号とに基づいて、前記増幅器の入出力特性を表すモデルに対する逆モデルを推定する推定部と、
前記逆モデルに基づいて前記入力信号を補正する歪補償部と
を備え、
前記増幅器には、前記入力信号の包絡線に応じた電源電圧が所定の電源回路から供給され、
前記モデルは、前記電源電圧の所定の値に対応する少なくとも一つの屈曲点を有し、
前記推定部は、前記屈曲点を境界として別個に規定される複数の逆モデルを推定し、
前記歪補償部は、前記複数の逆モデルに基づいて前記入力信号を補正する、歪補償装置。
【請求項２】
前記推定部は、前記増幅器に供給される前記電源電圧と、前記増幅器からの前記出力信号とに基づいて、前記モデルにおける前記屈曲点の位置を求める、請求項１に記載の歪補償装置。
【請求項３】
前記推定部は、前記歪補償部からの出力信号と、前記増幅器からの前記出力信号とに基づいて、前記モデルにおける前記屈曲点の位置を求める、請求項１に記載の歪補償装置。
【請求項４】
増幅器と、
前記増幅器への入力信号の包絡線に応じた電源電圧を前記増幅器に供給する電源回路と、
請求項１〜３のいずれか一つに記載の歪補償装置と
を備える、無線基地局。
【発明の詳細な説明】
【技術分野】
【０００１】
本発明は、歪補償回路及びそれを備えた無線基地局に関する。
【背景技術】
【０００２】
携帯電話等を用いた通信システムが備える無線基地局においては、送信信号を増幅して出力するための高出力増幅器（ＨＰＡ：High Power Amplifier）が、送信処理部内に実装される。一般的にＨＰＡは、増幅効率を優先するが故に、入出力特性の線形性が低い。つまりＨＰＡにおいては、その入力信号と出力信号との間の入出力特性が、非線形の歪特性を呈する。従って、このような入出力特性を有するＨＰＡを用いて入力信号を増幅すると、その歪に起因して、所望の出力信号が得られない場合がある。そこで、このような歪を補償するための歪補償方式の一つとして、増幅器の入出力特性を表すモデルを推定し、そのモデルとは逆の特性を呈する逆モデルをディジタル信号処理によって生成し、増幅器への入力信号（アナログ信号に変換する前のディジタル信号）に対してその逆モデルを付加することにより、増幅器の入出力特性における歪を補償する手法（いわゆるＤＰＤ：Digital Pre-Distortion）が、下記非特許文献１において提案されている。
【０００３】
また、下記非特許文献２，３においては、ＨＰＡに電源電圧を供給するための電源回路の一つとして、包絡線追跡方式の電源回路が提案されている。この包絡線追跡方式の電源回路は、ＨＰＡに一定の電源電圧を供給するのではなく、ＨＰＡへの入力信号の包絡線を検出し、ＨＰＡに供給する電源電圧をその包絡線に追従して変化させる。これにより、消費電力が低減され、高効率化を図ることができる。
【先行技術文献】
【非特許文献】
【０００４】
【非特許文献１】Lei Ding, "Digital predistortion of Power Amplifiers for Wireless Applications", Georgia Institute of Technology, March 2004.
【非特許文献２】Donald F. Kimball, et al., "High-Efficiency Envelope-Tracking W-CDMA Base-Station Amplifier Using GaN HFETs", IEEE Transactions on Microwave Theory and Techniques, Vol.54, NO.11, November 2006.
【非特許文献３】Feipeng Wang, et al., "Design of Wide-Bandwidth Envelope-Tracking Power Amplifiers for OFDM Applications", IEEE Transactions on Microwave Theory and Techniques, Vol.53, NO.4, April 2005.
【発明の概要】
【発明が解決しようとする課題】
【０００５】
上記の逆モデルは、高次べき級数の多項式の形（べき級数モデル）によって表現することができる。また、べき級数モデルの具現化手法としては、予め準備したＬＵＴ（Look Up Table）を用いるＬＵＴ方式と、べき級数モデルを定義した関数を用いて演算を行う関数方式とがある。関数方式のＤＰＤは、入力信号に逆モデルを付加する処理の所要時間が短いこと、ＬＵＴを記憶する必要がないために記憶部の記憶容量を占有しないこと、及び、メモリ効果の影響を考慮した逆モデルを求める際にも記憶部の記憶容量の占有量がさほど増えないこと、等の点でＬＵＴ方式のＤＰＤよりも有利である。
【０００６】
関数方式が採用されたＤＰＤにおいて、高精度の歪補償を実現するためには、正確な逆モデルを求める必要がある。しかし、増幅器によっては、その入出力特性が複雑であるために、一つの逆モデルによってはその入出力特性を正確に表現できない場合がある。例えば、上記の包絡線追跡方式の電源回路においては、動作される電圧源（又はその個数）が
入力信号のレベルに応じて異なる。そのため、包絡線追跡方式の電源回路から電源電圧の供給を受ける増幅器においては、その動作の切り替え点において、ＡＭ（振幅）−ＡＭ特性、及びＡＭ−ＰＭ（位相）特性に屈曲点（特性が急激に折れ曲がる点）が生じる。このような屈曲点を有する入出力特性は、べき級数の次数をいくら増やしても、一つの逆モデルによっては正確には表現することができない。
【０００７】
本発明はかかる事情に鑑みて成されたものであり、屈曲点を有するような複雑な入出力特性を呈する増幅器に関しても逆モデルを正確に表現することが可能な、関数方式の歪補償装置、及びそれを備えた無線基地局を得ることを目的とするものである。
【課題を解決するための手段】
【０００８】
本発明の第１の態様に係る歪補償装置は、増幅器への入力信号と前記増幅器からの出力信号とに基づいて、前記増幅器の入出力特性を表すモデルに対する逆モデルを推定する推定部と、前記逆モデルに基づいて前記入力信号を補正する歪補償部とを備え、前記増幅器には、前記入力信号の包絡線に応じた電源電圧が所定の電源回路から供給され、前記モデルは、前記電源電圧の所定の値に対応する少なくとも一つの屈曲点を有し、前記推定部は、前記屈曲点を境界として別個に規定される複数の逆モデルを推定し、前記歪補償部は、前記複数の逆モデルに基づいて前記入力信号を補正することを特徴とするものである。
【０００９】
第１の態様に係る歪補償装置によれば、推定部は、屈曲点を境界として別個に規定される複数の逆モデルを推定する。そして、歪補償部は、複数の逆モデルに基づいて入力信号を補正する。従って、包絡線追跡方式の電源回路から電源電圧の供給を受ける増幅器のように、屈曲点を有し、一つの逆モデルによっては正確には表現できない複雑な入出力特性を呈する増幅器に関しても、屈曲点を境界とする複数の逆モデルを用いることによって、全体として逆モデルを正確に表現することができる。その結果、高精度の歪補償を実現することが可能となる。
【００１０】
本発明の第２の態様に係る歪補償装置は、第１の態様に係る歪補償装置において特に、前記推定部は、前記増幅器に供給される前記電源電圧と、前記増幅器からの前記出力信号とに基づいて、前記モデルにおける前記屈曲点の位置を求めることを特徴とするものである。
【００１１】
第２の態様に係る歪補償装置によれば、推定部は、増幅器に供給される電源電圧と、増幅器からの出力信号とに基づいて、モデルにおける屈曲点の位置を求める。このように、電源回路から増幅器に供給される電源電圧を直接的にモニタすることによって、屈曲点を生じさせる電源電圧の値を正確に求めることが可能となる。
【００１２】
本発明の第３の態様に係る歪補償装置は、第１の態様に係る歪補償装置において特に、前記推定部は、前記歪補償部からの出力信号と、前記増幅器からの前記出力信号とに基づいて、前記モデルにおける前記屈曲点の位置を求めることを特徴とするものである。
【００１３】
第３の態様に係る歪補償装置によれば、推定部は、歪補償部からの出力信号と、増幅器からの出力信号とに基づいて、モデルにおける屈曲点の位置を求める。このように、電源回路から増幅器に供給される電源電圧を直接的にモニタする代わりに、当該電源電圧とほぼ比例関係にある歪補償部からの出力信号をモニタすることによっても、屈曲点を生じさせる電源電圧の値を近似的に求めることができる。しかも、歪補償部からの出力信号はディジタル信号であるため、ディジタル信号を扱う推定部は、歪補償部からの出力信号をそのまま扱うことができる。従って、電源回路から増幅器に供給される電源電圧の値を検出するための検出回路や、当該検出回路によるアナログ信号の検出値をディジタル信号に変換するためのＡＤ変換回路が不要となるため、装置構成の簡略化を図ることができる。
【００１４】
本発明の第４の態様に係る無線基地局は、増幅器と、前記増幅器への入力信号の包絡線に応じた電源電圧を前記増幅器に供給する電源回路と、第１〜第３のいずれか一つの態様に係る歪補償装置とを備えることを特徴とするものである。
【００１５】
第４の態様に係る無線基地局によれば、増幅器の入出力特性の歪が歪補償装置によって適切に補償されることにより、所望の送信信号を無線基地局から送信することが可能となる。
【発明の効果】
【００１６】
本発明によれば、屈曲点を有するような複雑な入出力特性を呈する増幅器に関しても、逆モデルを正確に表現できるため、高精度の歪補償を実現することが可能となる。
【図面の簡単な説明】
【００１７】
【図１】本発明の実施の形態に係る無線基地局の構成の一部を示すブロック図である。
【図２】ＨＰＡに供給される電源電圧と、ＨＰＡから出力される信号との関係を示す図である。
【図３】ＨＰＡの入出力特性の一例を模式的に示す図である。
【図４】ＤＰＤ処理部の第１の構成例を示すブロック図である。
【図５】ＤＰＤ処理部の第２の構成例を示すブロック図である。
【発明を実施するための形態】
【００１８】
以下、本発明の実施の形態について、図面を用いて詳細に説明する。なお、異なる図面において同一の符号を付した要素は、同一又は相応する要素を示すものとする。
【００１９】
図１は、本発明の実施の形態に係る無線基地局１の構成の一部を示すブロック図である。図１の接続関係で示すように、無線基地局１は、ＤＰＤ（Digital Pre-Distortion）処理部２、ＤＡＣ（Digital-to-Analog Converter）３、ＬＰＦ（Low Pass Filter）４、周波数変換部５、ＨＰＡ（High Power Amplifier）６、カプラ７、アンテナ８、周波数変換部９、ＬＰＦ１０、ＡＤＣ（Analog-to-Digital Converter）１１、包絡線検出部１２、及び包絡線追跡方式の電源回路１３を備えて構成されている。
【００２０】
ＤＰＤ２は、ディジタル信号である入力信号Ｓ１を補正することにより、信号Ｓ２を出力する。ＤＰＤ２による補正の内容については後述する。ＤＡＣ３は、ディジタル信号である信号Ｓ２をアナログ信号である信号Ｓ３に変換して出力する。ＬＰＦ４は、信号Ｓ３に対してローパスフィルタ処理を施して、信号Ｓ４を出力する。周波数変換部５は、ベースバンドの信号Ｓ４を高周波の信号Ｓ５に周波数変換して出力する。ＨＰＡ６は、信号Ｓ５を増幅することにより、信号Ｓ６を出力する。信号Ｓ６は、アンテナ８から送信される。
【００２１】
ＨＰＡ６からアンテナ８に向かう信号Ｓ６の一部は、カプラ７によって信号Ｓ７として取り出される。周波数変換部９は、高周波の信号Ｓ７をベースバンドの信号Ｓ８に周波数変換して出力する。ＬＰＦ１０は、信号Ｓ８に対してローパスフィルタ処理を施して、信号Ｓ９を出力する。ＡＤＣ１１は、アナログ信号である信号Ｓ９をディジタル信号である信号Ｓ１０に変換して出力する。信号Ｓ１０はＤＰＤ２に入力される。
【００２２】
包絡線検出部１２は、入力信号Ｓ１の包絡線を検出することにより、電源回路１３から出力される電源電圧Ｓ１２を制御するための信号Ｓ１１を出力する。電源回路１３は、信号Ｓ１１に基づいて、入力信号Ｓ１の包絡線の時間変動に追随して変動する電源電圧Ｓ１２を出力する。電源電圧Ｓ１２は、電源回路１３からＨＰＡ６に供給される。
【００２３】
図２は、ＨＰＡ６に供給される電源電圧Ｓ１２と、ＨＰＡ６から出力される信号Ｓ６との関係を示す図である。図２に示すように、電源電圧Ｓ１２は、信号Ｓ６の包絡線Ｓ６Ａに応じて時間変動している。このように、包絡線追跡方式の電源回路１３は、ＨＰＡ６に一定値の電源電圧を供給するのではなく、ＨＰＡ６への入力信号Ｓ１の包絡線を包絡線検出部１２によって検出し、ＨＰＡ６に供給する電源電圧Ｓ１２をその包絡線に追従して変化させる。これにより、消費電力が低減され、高効率化を図ることができる。
【００２４】
ここで、包絡線追跡方式の電源回路１３は、その内部に複数の電圧源を有しており、動作される電圧源（又はその個数）が入力信号Ｓ１の信号レベルに応じて異なる。そのため、電源回路１３から電源電圧Ｓ１２の供給を受けるＨＰＡ６においては、電源回路１３の動作の切り替え点において、ＡＭ−ＡＭ特性及びＡＭ−ＰＭ特性に屈曲点が生じる。ここで、屈曲点とは、特性が急激に折れ曲がる点を意味し、より具体的には、特性の変化率が所定値より大きい点を意味する。
【００２５】
図３は、ＨＰＡ６の入出力特性Ｋ１（例えばＡＭ−ＡＭ特性）の一例を模式的に示す図である。この例では、横軸は入力信号Ｓ１の信号レベル（例えば電力値）を示しており、縦軸は信号Ｓ１０の値を示している。入出力特性Ｋ１には、３個の屈曲点ＭＡ，ＭＢ，ＭＣが生じている。但し、入出力特性Ｋ１に生じる屈曲点の個数は、３個に限らず、電源回路１３の構成等によって異なる。
【００２６】
図４は、ＤＰＤ処理部２の第１の構成例を示すブロック図である。図４の接続関係で示すように、ＤＰＤ処理部２は、レベル検出部２１、レベル判定部２２、係数記憶部２３、入力信号補正部（歪補償部）２４、逆モデル推定部２５、データ分類部２６、屈曲点保存部２７、屈曲点探索部２８、及びＡＤＣ２９を備えて構成されている。
【００２７】
屈曲点探索部２８には信号Ｓ１０が入力される。また、屈曲点探索部２８には、電源電圧Ｓ１２の値がＡＤＣ２９によってディジタル信号に変換されて、信号Ｓ１２Ｄとして入力される。屈曲点探索部２８は、信号Ｓ１０，Ｓ１２Ｄに基づいて、図３に示した屈曲点ＭＡ，ＭＢ，ＭＣを生じさせる電源電圧Ｓ１２の値を求める。屈曲点探索部２８は、信号Ｓ１０，Ｓ１２Ｄに基づいて作成した入出力特性をトレースし、各位置での微分値（つまり特性の変化率）を求めることにより、微分値が所定値より大きくなる点を、屈曲点として決定する。事前の実験又はシミュレーションによって所定値を適切に設定することによって、屈曲点探索部２８は、図３に示した特性Ｋ１における屈曲点ＭＡ，ＭＢ，ＭＣを探索することができる。また、屈曲点探索部２８には、電源電圧Ｓ１２の値と入力信号Ｓ１の信号レベルとの対応関係が記述されたデータテーブルが予め教示されており、屈曲点探索部２８は、屈曲点ＭＡ，ＭＢ，ＭＣを生じさせる電源電圧Ｓ１２の各値に対応する入力信号Ｓ１の信号レベル（例えば電力値ＰＡ，ＰＢ，ＰＣ）を求める。屈曲点探索部２８によって探索された屈曲点の位置（及び個数）に関する情報は、データＳ２１としてデータ分類部２６に入力されるとともに、屈曲点保存部２７内に保存される。なお、屈曲点探索部２８は、電源電圧Ｓ１２の代わりに信号Ｓ１１を用いることにより、信号Ｓ１１と信号Ｓ１０とに基づいて、屈曲点ＭＡ，ＭＢ，ＭＣに対応する入力信号Ｓ１の信号レベルを求めても良い。
【００２８】
データ分類部２６は、データＳ２１で与えられる屈曲点の位置を境界として、信号Ｓ２，Ｓ１０を分類する。図３を参照して、データ分類部２６は、信号Ｓ２，Ｓ１０を、屈曲点ＭＡ未満の領域に対応する信号と、屈曲点ＭＡ以上かつ屈曲点ＭＢ未満の領域に対応する信号と、屈曲点ＭＢ以上かつ屈曲点ＭＣ未満の領域に対応する信号と、屈曲点ＭＣ以上の領域に対応する信号とに分類する。信号の分類に関するデータＳ２２は、データ分類部２６から逆モデル推定部２５に入力される。また、逆モデル推定部２５には、信号Ｓ２，
Ｓ１０も入力される。
【００２９】
逆モデル推定部２５は、逆モデルをｎ次べき級数（ｎは自然数）の多項式の形で表現するための各次の係数（つまり逆モデルの係数セット）を、屈曲点によって分割された各領域ごとに演算によって求める。ここで、逆モデルとは、入出力特性における非線形の歪を補償するための、入出力特性の歪特性とは逆の特性を呈するモデルである。図３を参照して、特性Ｋ１を表すモデルは屈曲点ＭＡ，ＭＢ，ＭＣを境界として４つの部分モデルＫ１Ａ，Ｋ１Ｂ，Ｋ１Ｃ，Ｋ１Ｄに分割される。この場合、逆モデル推定部２５は、部分モデルＫ１Ａに対する逆モデルと、部分モデルＫ１Ｂに対する逆モデルと、部分モデルＫ１Ｃに対する逆モデルと、部分モデルＫ１Ｄに対する逆モデルとを推定する。
【００３０】
このように特性Ｋ１が屈曲点を境界として複数の部分モデルに分割されることにより、各部分モデル内には屈曲点は存在しない。従って、各部分モデルの逆モデルはｎ次べき級数の多項式の形で表現することが可能である。各部分モデルに対応する逆モデルの係数セットに関するデータＳ２３は、逆モデル推定部２５から係数記憶部２３に入力される。これにより、係数記憶部２３内には、複数の逆モデルに関する複数の係数セットが記憶される。
【００３１】
ところで、入力信号Ｓ１は、入力信号補正部２４に入力されるとともに、レベル検出部２１にも入力される。レベル検出部２１は、入力信号Ｓ１の信号レベル（例えば電力値）を検出する。検出された信号レベルに関するデータＳ２４は、レベル検出部２１からレベル判定部２２に入力される。
【００３２】
また、レベル判定部２２には、屈曲点保存部２７からデータＳ２１が入力される。レベル判定部２２は、データＳ２４で与えられる入力信号Ｓ１の信号レベルと、データＳ２１で与えられる屈曲点の信号レベルとを比較することにより、各時点での入力信号Ｓ１がいずれの逆モデルに対応しているかを判定する。図３を参照して、入力信号Ｓ１の信号レベルが例えば屈曲点ＭＡの信号レベル（電力値ＰＡ）未満である場合には、レベル判定部２２は、その時点での入力信号Ｓ１は部分モデルＫ１Ａの逆モデルに対応していると判定する。また、入力信号Ｓ１の信号レベルが例えば屈曲点ＭＡの信号レベル（電力値ＰＡ）と屈曲点ＭＢの信号レベル（電力値ＰＢ）との間である場合には、レベル判定部２２は、その時点での入力信号Ｓ１は部分モデルＫ１Ｂの逆モデルに対応していると判定する。レベル判定部２２による判定の結果に関するデータＳ２５は、係数記憶部２３に入力される。
【００３３】
係数記憶部２３は、記憶している複数の係数セットの中から、その時点での入力信号Ｓ１に対応する逆モデルの係数セットをデータＳ２５に基づいて選択して、その選択した係数セットをデータＳ２６として入力信号補正部２４に入力する。
【００３４】
入力信号補正部２４は、データＳ２６で与えられる係数セットの逆モデルを、入力信号Ｓ１に付加することにより、その逆モデルに基づいて入力信号Ｓ１を補正する。これにより、入力信号Ｓ１に対して適切な歪補償がなされた信号Ｓ２が、入力信号補正部２４から出力される。図３を参照して、入力信号Ｓ１の信号レベルが例えば屈曲点ＭＡの信号レベル（電力値ＰＡ）未満である場合には、入力信号補正部２４は、部分モデルＫ１Ａに対応する逆モデルに基づいて入力信号Ｓ１を補正する。また、入力信号Ｓ１の信号レベルが例えば屈曲点ＭＡの信号レベル（電力値ＰＡ）と屈曲点ＭＢの信号レベル（電力値ＰＢ）との間である場合には、入力信号補正部２４は、部分モデルＫ１Ｂに対応する逆モデルに基づいて入力信号Ｓ１を補正する。
【００３５】
図５は、ＤＰＤ処理部２の第２の構成例を示すブロック図である。図４に示した第１の構成例とは異なり、屈曲点探索部２８には、信号Ｓ１２Ｄの代わりにディジタル信号であ
る信号Ｓ２が入力される。その他の構成は第１の構成例と同様である。信号Ｓ２は電源電圧Ｓ１２にほぼ比例するため、信号Ｓ２の値によって電源電圧Ｓ１２の値を近似することができる。屈曲点探索部２８は、信号Ｓ１０，Ｓ２に基づいて、図３に示した屈曲点ＭＡ，ＭＢ，ＭＣを生じさせる電源電圧Ｓ１２の値を近似的に求める。また、屈曲点探索部２８には、電源電圧Ｓ１２の値と入力信号Ｓ１の信号レベルとの対応関係が記述されたデータテーブルが予め教示されており、屈曲点探索部２８は、屈曲点ＭＡ，ＭＢ，ＭＣを生じさせる電源電圧Ｓ１２の各値に対応する入力信号Ｓ１の信号レベル（例えば電力値ＰＡ，ＰＢ，ＰＣ）を求める。その他の動作は第１の構成例における動作と同様である。
【００３６】
このように本実施の形態に係るＤＰＤ処理部２（歪補償装置）によれば、逆モデル推定部２５は、屈曲点ＭＡ〜ＭＣを境界として別個に規定される複数の部分モデルＫ１Ａ〜Ｋ１Ｄに対する複数の逆モデルを推定する。そして、入力信号補正部２４は、複数の逆モデルに基づいて入力信号Ｓ１を補正する。従って、包絡線追跡方式の電源回路１３から電源電圧Ｓ１２の供給を受けるＨＰＡ６のように、屈曲点ＭＡ〜ＭＣを有し、一つの逆モデルによっては正確には表現できない複雑な入出力特性を呈する増幅器に関しても、屈曲点ＭＡ〜ＭＣを境界とする複数の逆モデルを用いることによって、全体として逆モデルを正確に表現することができる。その結果、高精度の歪補償を実現することが可能となる。
【００３７】
また、図４に示したＤＰＤ処理部２によれば、屈曲点探索部２８は、ＨＰＡ６に供給される電源電圧Ｓ１２と、ＨＰＡ６からの出力信号（信号Ｓ１０）とに基づいて、モデル（入出力特性Ｋ１）における屈曲点ＭＡ〜ＭＣの位置を求める。このように、電源回路１３からＨＰＡ６に供給される電源電圧Ｓ１２を直接的にモニタすることによって、屈曲点ＭＡ〜ＭＣを生じさせる電源電圧Ｓ１２の値を正確に求めることが可能となる。
【００３８】
また、図５に示したＤＰＤ処理部２によれば、屈曲点探索部２８は、入力信号補正部２４からの出力信号（信号Ｓ２）と、ＨＰＡ６からの出力信号（Ｓ１０）とに基づいて、モデル（入出力特性Ｋ１）における屈曲点ＭＡ〜ＭＣの位置を求める。このように、電源回路１３からＨＰＡ６に供給される電源電圧Ｓ１２を直接的にモニタする代わりに、電源電圧Ｓ１２とほぼ比例関係にある入力信号補正部２４からの出力信号をモニタすることによっても、屈曲点ＭＡ〜ＭＣを生じさせる電源電圧Ｓ１２の値を近似的に求めることができる。しかも、入力信号補正部２４からの出力信号はディジタル信号であるため、ディジタル信号を扱う屈曲点探索部２８は、入力信号補正部２４からの出力信号をそのまま扱うことができる。従って、電源回路１３からＨＰＡ６に供給される電源電圧Ｓ１２の値を検出するための検出回路や、当該検出回路によるアナログ信号の検出値をディジタル信号に変換するためのＡＤＣ２９が不要となるため、装置構成の簡略化を図ることができる。
【００３９】
また、本実施の形態に係る無線基地局１によれば、ＨＰＡ６の入出力特性の歪がＤＰＤ処理部２によって適切に補償されることにより、所望の送信信号を無線基地局１から送信することが可能となる。
【００４０】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００４１】
１  無線基地局
２  ＤＰＤ処理部
６  ＨＰＡ
２１  レベル検出部
２２  レベル判定部
２３  係数記憶部
２４  入力信号補正部
２５  逆モデル推定部
２６  データ分類部
２７  屈曲点保存部
２８  屈曲点探索部
Ｋ１  入出力特性
Ｋ１Ａ〜Ｋ１Ｄ  部分モデル
ＭＡ〜ＭＣ  屈曲点
【図１】
2010166450.tif 000003
【図２】
2010166450.tif 000004
【図３】
2010166450.tif 000005
【図４】
2010166450.tif 000006
【図５】
2010166450.tif 000007